(57)【要約】      （修正有）【課題】保健師や看護師の代わりに受診者に対して特定保健指導を自動的に実施する特定保健指導支援通信設備を提供する。【解決手段】情報提供機関のサーバ２と少なくとも１つのパーソナルコンピュータ７，８及び／又は少なくとも１つの固定端末装置９とが、通信ネットワーク１を介して接続されていて、前記情報提供機関のサーバ２が、前記パーソナルコンピュータ７，８及び／又は前記固定端末装置９に対して健診結果に関するデータ及び現在の生活習慣に関するチェック項目を入力するための表示画面を送信し、前記情報提供機関のサーバ２が、この表示画面を通じて入力されたデータに基づいて特定保健指導に関する情報を前記パーソナルコンピュータ７，８及び／又は前記固定端末装置９に返送する様に構成する。【選択図】図１
0003152522.tif 000002
【実用新案登録請求の範囲】
【請求項１】
一般不特定者又は特定保健指導対象者の健康診断の結果数値を判定し、その判定結果に基づいてその一般不特定者又は特定保健指導対象者に対して特定保健指導に関する情報を提供する、通信ネットワーク（１）を利用した特定保健指導支援通信設備において、
情報提供機関のサーバ（２）と少なくとも１つのパーソナルコンピュータ（７，８）及び／又は少なくとも１つの固定端末装置（９）とが、前記通信ネットワーク（１）を介して接続されていて、前記情報提供機関のサーバ（２）が、前記パーソナルコンピュータ（７，８）及び／又は前記固定端末装置（９）に対して健診結果に関するデータ及び現在の生活習慣に関するチェック項目を入力するための表示画面を送信し、前記情報提供機関のサーバ（２）が、この表示画面を通じて入力されたデータに基づいて特定保健指導に関する情報を前記パーソナルコンピュータ（７，８）及び／又は前記固定端末装置（９）に返送することを特徴とする特定保健指導支援通信設備。
【請求項２】
前記情報提供機関のサーバ（２）と同じ構成を含む医療機関のデータサーバ（３）が、前記通信ネットワーク（１）にさらに接続されていて、この医療機関のデータサーバ（３）が、前記パーソナルコンピュータ（７，８）及び／又は前記固定端末装置（９）の処理を代行することを特徴とする請求項１に記載の特定保健指導支援通信設備。
【請求項３】
前記情報提供機関のサーバ（２）は、健診データベース（１４），特定保健指導データベース（１５）及びプログラム記憶装置（１６）並びにこの健診データベース（１４），この特定保健指導データベース（１５）及びこのプログラム記憶装置（１６）を制御する制御装置（１３）を有し、前記健診データベース（１４）は、前記パーソナルコンピュータ（７，８）及び／又は前記固定端末装置（９）から送られてきた健診データに関する情報を記憶し、前記特定保健指導データベース（１５）は、健診データに応じた特定保健指導に関するデータが記憶されていて、前記プログラム記憶装置（１６）は、健診データに関する情報を入力するためのフォーマットをパーソナルコンピュータ及び固定端末装置のモニタ上に表示するためのプログラム，このフォーマットに入力された健診データに関する情報を集計して分析し、特定保健指導に関する情報を作成してそのパーソナルコンピュータ（７，８）及び／又は前記固定端末装置（９）に返信して表示するためのプログラムが記憶されていることを特徴とする特定保健指導支援通信設備。
【請求項４】
特定保健指導対象者用の処理に対しては、健康診断から所定の期間後に対して少なくとも１回、特定保健指導に関する情報が、前記パーソナルコンピュータ（７，８）及び／又は前記固定端末装置（９）を通じて提供されることを特徴とする請求項１〜３のいずれか１項に記載の特定保健指導支援通信設備。
【請求項５】
前記前記パーソナルコンピュータ（７，８）及び前記固定端末装置（９）は、特定保健指導に関する情報を印刷するための出力装置（１０，１１，１２）を有することを特徴とする特徴とする請求項１〜４のいずれか１項に記載の特定保健指導支援通信設備。
【請求項６】
前記固定端末装置（３）は、健診データに関する情報を入力し、その結果を見るためのタッチパネルを有することを特徴とする請求項１〜５のいずれか１項に記載の特定保健指導支援通信設備。
【請求項７】
特定保健指導対象者用の処理に対しては、前記前記パーソナルコンピュータ（７，８）及び／又は前記固定端末装置（９）にＩＤ及び／又はパスワードを入力することが必要であることを特徴とする請求項１〜６のいずれか１項に記載の特定保健指導支援通信設備。
【考案の詳細な説明】
【技術分野】
【０００１】
本考案は、一般不特定者又は特定保健指導対象者の健康診断の結果数値を判定し、その判定結果に基づいてその一般不特定者又は特定保健指導対象者に対して特定保健指導に関する情報を提供する、通信ネットワークを利用した特定保健指導支援通信設備に関する。
【背景技術】
【０００２】
我が国の医療費は毎年約１兆円増加している。そのため医療費の増大を一次予防で抑えることが提唱され、この趣旨から平成２０年度より特定健康診査が義務化となった。その結果、健診の受診率の大幅な上昇（例えば、現在の健診の受診率３０％程度が将来的には７０％以上になると考えられている）が予想されるため、その大量の受診者に対する効率的な情報提供の対応が急務となっている。
【０００３】
しかしながら、特定健康診査の受診者に対して特定保健指導を実施する保健師や看護師の人員は限られているので、人海戦術だけで受診者の特定保健指導に対応することは困難である。
【０００４】
本考案の分野と同様なものとして、例えば特開２００２−１２３６１５号公報に記載のシステムが提案されている。このシステムは、インターネット１に接続された外部サーバ装置及びアドバイザークライアント装置並びに携帯端末装置から構成されている。外部サーバ装置が、ユーザのそれぞれの個人データを管理しているとともに、個人データに基づいた健康管理に関するアドバイスデータが、該当するユーザが所有する携帯端末装置に送信される。このシステムで使用される携帯端末装置では、通信速度及び通信容量に制約があるため、データ量が多い健康診断の結果数値の送信及び特定保健指導に関する情報の受信には向いていない。また、特定保健指導を実施するためのプログラム及びこのプログラムを実行するシステムが開示されていない。したがってこのシステムでは、きめの細かい詳しい特定保健指導はできない。
【先行技術文献】
【特許文献】
【０００５】
【特許文献１】特開２００２−１２３６１５号公報
【考案の開示】
【考案が解決しようとする課題】
【０００６】
本考案の課題は、保健師や看護師の代わりに受診者に対して特定保健指導を自動的に実施する特定保健指導支援通信設備を提供することにある。
【課題を解決するための手段】
【０００７】
この課題は、情報提供機関のサーバ２と少なくとも１つのパーソナルコンピュータ７，８及び／又は少なくとも１つの固定端末装置９とが、通信ネットワーク１を介して接続されていて、前記情報提供機関のサーバ２が、前記パーソナルコンピュータ７，８及び／又は前記固定端末装置９に対して健診結果に関するデータ及び現在の生活習慣に関するチェック項目を入力するための表示画面を送信し、前記情報提供機関のサーバ２が、この表示画面を通じて入力されたデータに基づいて特定保健指導に関する情報を前記パーソナルコンピュータ７，８及び／又は前記固定端末装置９に返送することによって解決される。
【考案の効果】
【０００８】
本考案の特定保健指導支援通信設備，この特定保健指導支援通信設備のサーバ及び特定保健指導プログラムを記憶した記憶装置は、以下の有利な効果を奏する。
・自宅に居ながらにして、好きな時に、保健師や看護師が行うのと同程度の特定保健指導を受けることが保健師や看護師なしにでき、非常に詳しい個別コメントも入手できる。
・保健師や看護師を増員しないで済むので、コストをかけずに特定保健指導が実現できる。
・結果として、一次予防が促進され、国全体の医療費が削減できる。
【図面の簡単な説明】
【０００９】
【図１】本考案の一実施の形態である特定保健指導支援通信設備の構成図である。
【図２】情報提供機関のサーバ及び医療機関のデータサーバの構成を表すブロック図である。
【図３】本考案の特定保健指導支援通信設備を使用する時の作業の流れを表したフローチャートである。
【図４ａ】一般不特定者用のモニタ上のフォーマットに入力すべき項目の一例を示す。
【図４ｂ】一般不特定者用のモニタ上のフォーマットに入力すべき項目の一例を示す。
【図４ｃ】一般不特定者用のモニタ上のフォーマットに入力すべき項目の一例を示す。
【図４ｄ】一般不特定者用のモニタ上のフォーマットに入力すべき項目の一例を示す。
【図５ａ】特定保健指導対象者用のモニタ上のフォーマットに入力すべき項目の一例を示す。
【図５ｂ】特定保健指導対象者用のモニタ上のフォーマットに入力すべき項目の一例を示す。
【図６ａ】パーソナルコンピュータ又は端末装置のモニタ上に表示される特定保健指導に関する情報の一例を示す。
【図６ｂ】パーソナルコンピュータ又は端末装置のモニタ上に表示される特定保健指導に関する情報の一例を示す。
【図６ｃ】パーソナルコンピュータ又は端末装置のモニタ上に表示される特定保健指導に関する情報の一例を示す。
【図７ａ】固定端末装置のタッチパネル上の表示の一例を示す。
【図７ｂ】固定端末装置のタッチパネル上の表示の一例を示す。
【図７ｃ】固定端末装置のタッチパネル上の表示の一例を示す。
【図７ｄ】固定端末装置のタッチパネル上の表示の一例を示す。
【図８ａ】特定保健指導データベース内に記憶されている特定保健指導のために必要な評価項目の一覧を示す。
【図８ｂ】特定保健指導データベース内に記憶されている特定保健指導のために必要な評価項目の一覧を示す。
【図８ｃ】特定保健指導データベース内に記憶されている特定保健指導のために必要な評価項目の一覧を示す。
【図８ｄ】特定保健指導データベース内に記憶されている特定保健指導のために必要な評価項目の一覧を示す。
【図８ｅ】特定保健指導データベース内に記憶されている特定保健指導のために必要な評価項目の一覧を示す。
【図８ｆ】特定保健指導データベース内に記憶されている特定保健指導のために必要な評価項目の一覧を示す。
【図８ｇ】特定保健指導データベース内に記憶されている特定保健指導のために必要な評価項目の一覧を示す。
【図８ｈ】特定保健指導データベース内に記憶されている特定保健指導のために必要な評価項目の一覧を示す。
【図８ｉ】特定保健指導データベース内に記憶されている特定保健指導のために必要な評価項目の一覧を示す。
【図８ｊ】特定保健指導データベース内に記憶されている特定保健指導のために必要な評価項目の一覧を示す。
【考案を実施するための最良の形態】
【００１０】
以下に、本考案の実施の形態の一例を図面に基づいて詳しく説明する。
【００１１】
図１は、一般不特定者又は特定保健指導対象者の健康診断の結果数値を判定し、その判定結果に基づいてその一般不特定者又は特定保健指導対象者に対して特定保健指導に関する情報を提供する、通信ネットワークを利用した本考案の特定保健指導支援通信設備の構成の一例を示す。ここで、「一般不特定者」とは、健診未受診者並びに特定健診受診者のうちの健診結果として異常無なしと判断された者及び特定保健指導・観察が必要とされた症状が軽度にランクされた者が該当する。「特定保健指導対象者」とは、健診結果として軽度にランクされた者より症状が重い中度又は重度にランクされた、より細やかな特定保健指導が必要になる者が該当する。
【００１２】
この特定保健指導支援通信設備は、主に通信ネットワーク１，情報提供機関のサーバ２，医療機関のデータサーバ３，通信制御装置４〜６，パーソナルコンピュータ７〜９及び出力装置１０〜１２から構成されている。通信ネットワーク１としては、インターネットや専用の回線等が使用される。特定保健指導に関するデータを送受信する情報提供機関のサーバ２が通信ネットワーク１に接続されている。さらに健診情報等を入力し、その結果としての特定保健指導に関する情報を受信するための少なくとも１つのパーソナルコンピュータ７，８及び固定端末装置９がそれぞれ、インターフェースである各通信制御装置４〜６を介して通信ネットワーク１に接続されている。パーソナルコンピュータ７，８は、情報を入力するキーボードやマウス及び情報を表示するモニタを備えている。このパーソナルコンピュータ７，８は、デスクトップ式でもよく、持ち運び便利なラップトップ式でもよい。
【００１３】
固定端末装置９は、タッチパネルを備え、このタッチパネルに触れることによって健診データ等を入力する。パーソナルコンピュータ７，８は、市販のものが使用でき、任意の場所で操作ができる一方で、固定端末装置９は、操作性を良くするためその表示画面が比較的大きくてもよく、多くの場合に公共機関（例えば、保健所，病院，市役所，スポーツセンター等）への設置に適する。固定端末装置９のタッチパネルを使用する場合、図７ａ〜図７ｃ中に示したように、タッチパネルの画面上に写し出された設問の「はい」及び「いいえ」の部分に直接指先で触ることによって、全質問が回答される。「結果を見る」を触ると、生活習慣（食事，運動，睡眠，心の健康等）の現在の状態及びこれらに関する個別のコメント・アドバイスが表示される。この表示内容をプリントアウトすれば、このプリントアウトされた情報に基づいて、特定保健指導が、かかりつけ医，行政保健師又は企業内保健師で受けられ得ます。通信制御装置４〜６は、例えば通信モデムである。
【００１４】
同様に、健康診断の結果が記憶されている医療機関のデータサーバ３が、通信ネットワーク１に接続されていてもよい。しかし情報提供機関と医療機関とが同一機関である場合は、医療機関のデータサーバ３は省略できる。一方で情報提供機関と医療機関とが独立している場合は、医療機関のデータサーバ３が、パーソナルコンピュータ７，８及び固定端末装置９の処理を代行することができる。したがってこの代行手段によって、パーソナルコンピュータ及び固定端末装置の操作が苦手な年配者等が、その医療機関に依頼して特定保健指導に関する情報を入手することもできる。さらに各パーソナルコンピュータ７，８及び固定端末装置９は、出力装置１０〜１２に接続されている。この出力装置１０〜１２は、例えばプリンタである。
【００１５】
図２は、この特定保健指導支援通信設備で使用される情報提供機関のサーバ２及び／又は医療機関のデータサーバ３の構成を表すブロック図の一例を示す。制御装置１３（例えば、ＣＰＵ），健診データベース１４，特定保健指導データベース１５及びプログラム記憶装置１６がそれぞれ、データバス１８を介して上述した通信制御装置４〜６と同様な通信制御装置１７に接続されている。このような構成を成すサーバが、上述した通信ネットワーク１に接続されている。医療機関のデータサーバ３が、上述したように処理の代行を実施する場合は、この医療機関のデータサーバ３は通信制御装置を介してパーソナルコンピュータに接続されている。この場合、医療機関の職員等が、パーソナルコンピュータを通じて健診データを入力することができる。
【００１６】
制御装置１３は、健診データベース１４，特定保健指導データベース１５，プログラム記憶装置１６及び通信制御装置１７の動作を制御する。健診データベース１４は、パーソナルコンピュータ７，８及び固定端末装置９並びに／又は医療機関のデータベース３から送られてきた健診データ等を記憶する。健診データ等としては、健康診断の結果数値や図３に示したようなモニタ上のフォーマットに入力すべき各項目及びその項目に対する回答データがある。特定保健指導データベース１５は、健診データに応じた特定保健指導に関するデータが記憶されている。プログラム記憶装置１６は、健診データ等を入力するためのフォーマットをパーソナルコンピュータ及び固定端末装置のモニタ上に表示するためのプログラム，このフォーマットに入力された健診データ等を集計して分析し、特定保健指導に関する情報を作成してそのパーソナルコンピュータに返信するためのプログラムが記憶されている。すなわちこのプログラムは、健診データベース１４及び特定保健指導データベース１５内のデータを適切に選択し、特定保健指導に関する情報を作成し、所定のパーソナルコンピュータ又は固定端末装置に返信する処理を実行する。
【００１７】
次いで、本考案の特定保健指導支援通信設備を使用する時のモニタ上に表示される作業の流れを図３に基づいて説明する。
【００１８】
１．一般不特定者の場合（流れａ）
一般不特定者の項目を選択し（Ｓ１）、情報提供機関のサーバ２にアクセスし（Ｓ２）、図４ａ〜図４ｄ中に示されたようなモニタ上に表示された各項目に対してデータを入力する（Ｓ３）。入力されたデータに対応した特定保健指導に関する情報が、図６ａ〜図６ｃ中に示されたような「総合判定グラフ」や「生活習慣に対する個別コメント」として詳しく表示される（Ｓ４）。この表示された内容は、出力装置によって印刷できる。
【００１９】
２．特定保健指導対象者の場合（流れｂ）
特定保健指導対象者の項目を選択し（Ｓ１）、その後に表示される認証画面で、例えばＩＤやパスワードを入力して本人の確認を行い（Ｓ５）、この認証がなされた後に、情報提供機関のサーバ２にアクセスされる（Ｓ６）。
【００２０】
２−１．初回面接（流れｃ）
生活習慣を変えるに当たって意思決定の支援を実施する健康診断後の初回面接の結果（又は再検査の結果）及び現在の生活習慣に関する情報を図５ａ，図５ｂ中のように入力し（Ｓ７）、入力されたデータに対応した特定保健指導に関する情報が、図６ａ〜図６ｃ中に示されたような「総合判定グラフ」や「生活習慣に対する個別コメント」として詳しく表示される（Ｓ１０）。この表示された内容は、出力装置によって印刷できる。
【００２１】
２−２．初回面接から３ヵ月後（流れｄ）
初回面接の結果（又は再検査の結果）及び現在の生活習慣に関する情報を図５ａ，図５ｂ中のように入力し（Ｓ８）、入力されたデータに対応した特定保健指導に関する情報が、図６ａ〜図６ｃ中に示されたような「総合判定グラフ」や「生活習慣に対する個別コメント」として詳しく表示される（Ｓ１１）。この表示された内容は、出力装置によって印刷できる。
【００２２】
２−３．初回面接から６ヵ月後（流れｅ）
初回面接の結果（又は再検査の結果）及び現在の生活習慣に関する情報を図５ａ，図５ｂ中のように入力し（Ｓ９）、入力されたデータに対応した特定保健指導に関する情報が、図６ａ〜図６ｃ中に示されたような「総合判定グラフ」や「生活習慣に対する個別コメント」として詳しく表示される（Ｓ１２）。この表示された内容は、出力装置によって印刷できる。
【００２３】
なお、特定保健指導を実施する期間は、上述した時期に限定されず、任意の時期及び回数が規定できる。
【００２４】
図７ａ〜図７ｄは、固定端末装置のタッチパネル上の表示の一例を示す。この場合の流れも図３中に示されたフローチャートの流れと同様に実施される。
【００２５】
図８ａ〜図８ｊは、特定保健指導データベース１５内に記憶されている特定保健指導のために必要な評価項目の一覧を示す。プログラム記憶装置１６内のプログラムが、これらの項目に関する入力データ及び健診データベース１４内の健診データに基づいて的確な特定保健指導に関する情報を通信ネットワーク１経由でパーソナルコンピュータ７，８及び／又は固定端末装置９に対して送信される。
【００２６】
なお、図３中に示した処理の流れは、上述したように一般不特定者又は特定保健指導対象者でなくて、例えば医療機関の職員又は保健師若しくは看護師が代行してもよい。
【産業上の利用可能性】
【００２７】
本考案の特定保健指導支援通信設備は、上述した一般不特定者及び特定保健指導対象者の特定保健指導に限定されずに、例えばあらゆる人の心の健康，生活機能の低下や寝たきりの人の病気になる危険度をチェックし、その結果を提供するためにも応用できる。
【符号の説明】
【００２８】
１      インターネット
２      情報提供機関のサーバ
３      医療機関のデータサーバ
４      通信制御装置
５      通信制御装置
６      通信制御装置
７      パーソナルコンピュータ
８      パーソナルコンピュータ
９      固定端末装置
１０    出力装置
１１    出力装置
１２    出力装置
１３    制御装置
１４    健診データベース
１５    特定保健指導データベース
１６    プログラム記憶装置
１７    通信制御装置
１８    データバス
Ｓ１〜Ｓ１２  ステップ１〜ステップ１２
ａ  一般不特定者の場合の処理の流れ方向
ｂ  特定保健指導対象者の場合の処理の流れ方向
ｃ  初回面接時の特定保健指導の流れ
ｄ  初回面接から３ヵ月後の特定保健指導の流れ
ｅ  初回面接から６ヵ月後の特定保健指導の流れ
【図１】
0003152522.tif 000003
【図２】
0003152522.tif 000004
【図３】
0003152522.tif 000005
【図４ａ】
0003152522.tif 000006
【図４ｂ】
0003152522.tif 000007
【図４ｃ】
0003152522.tif 000008
【図４ｄ】
0003152522.tif 000009
【図５ａ】
0003152522.tif 000010
【図５ｂ】
0003152522.tif 000011
【図６ａ】
0003152522.tif 000012
【図６ｂ】
0003152522.tif 000013
【図６ｃ】
0003152522.tif 000014
【図７ａ】
0003152522.tif 000015
【図７ｂ】
0003152522.tif 000016
【図７ｃ】
0003152522.tif 000017
【図７ｄ】
0003152522.tif 000018
【図８ａ】
0003152522.tif 000019
【図８ｂ】
0003152522.tif 000020
【図８ｃ】
0003152522.tif 000021
【図８ｄ】
0003152522.tif 000022
【図８ｅ】
0003152522.tif 000023
【図８ｆ】
0003152522.tif 000024
【図８ｇ】
0003152522.tif 000025
【図８ｈ】
0003152522.tif 000026
【図８ｉ】
0003152522.tif 000027
【図８ｊ】
0003152522.tif 000028
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
一般不特定者又は特定保健指導対象者の健康診断の結果数値を判定し、その判定結果に基づいてその一般不特定者又は特定保健指導対象者に対して特定保健指導に関する情報を提供する、通信ネットワーク（１）を利用した特定保健指導支援通信設備において、
情報提供機関のサーバ（２）と少なくとも１つのパーソナルコンピュータ（７，８）及び／又は少なくとも１つの固定端末装置（９）とが、前記通信ネットワーク（１）を介して接続されていて、前記情報提供機関のサーバ（２）が、前記パーソナルコンピュータ（７，８）及び／又は前記固定端末装置（９）に対して健診結果に関するデータ及び現在の生活習慣に関するチェック項目を入力するための表示画面を送信し、前記情報提供機関のサーバ（２）が、この表示画面を通じて入力されたデータに基づいて特定保健指導に関する情報を前記パーソナルコンピュータ（７，８）及び／又は前記固定端末装置（９）に返送することを特徴とする特定保健指導支援通信設備。
【請求項２】
前記情報提供機関のサーバ（２）と同じ構成を含む医療機関のデータサーバ（３）が、前記通信ネットワーク（１）にさらに接続されていて、この医療機関のデータサーバ（３）が、前記パーソナルコンピュータ（７，８）及び／又は前記固定端末装置（９）の処理を代行することを特徴とする請求項１に記載の特定保健指導支援通信設備。
【請求項３】
前記情報提供機関のサーバ（２）は、健診データベース（１４），特定保健指導データベース（１５）及びプログラム記憶装置（１６）並びにこの健診データベース（１４），この特定保健指導データベース（１５）及びこのプログラム記憶装置（１６）を制御する制御装置（１３）を有し、前記健診データベース（１４）は、前記パーソナルコンピュータ（７，８）及び／又は前記固定端末装置（９）から送られてきた健診データに関する情報を記憶し、前記特定保健指導データベース（１５）は、健診データに応じた特定保健指導に関するデータが記憶されていて、前記プログラム記憶装置（１６）は、健診データに関する情報を入力するためのフォーマットをパーソナルコンピュータ及び固定端末装置のモニタ上に表示するためのプログラム，このフォーマットに入力された健診データに関する情報を集計して分析し、特定保健指導に関する情報を作成してそのパーソナルコンピュータ（７，８）及び／又は前記固定端末装置（９）に返信して表示するためのプログラムが記憶されていることを特徴とする請求項１又は２に記載の特定保健指導支援通信設備。
【請求項４】
特定保健指導対象者用の処理に対しては、健康診断から所定の期間後に対して少なくとも１回、特定保健指導に関する情報が、前記パーソナルコンピュータ（７，８）及び／又は前記固定端末装置（９）を通じて提供されることを特徴とする請求項１〜３のいずれか１項に記載の特定保健指導支援通信設備。
【請求項５】
前記パーソナルコンピュータ（７，８）及び前記固定端末装置（９）は、特定保健指導に関する情報を印刷するための出力装置（１０，１１，１２）を有することを特徴とする請求項１〜４のいずれか１項に記載の特定保健指導支援通信設備。
【請求項６】
前記固定端末装置（３）は、健診データに関する情報を入力し、その結果を見るためのタッチパネルを有することを特徴とする請求項１〜５のいずれか１項に記載の特定保健指導支援通信設備。
【請求項７】
特定保健指導対象者用の処理に対しては、前記パーソナルコンピュータ（７，８）及び／又は前記固定端末装置（９）にＩＤ及び／又はパスワードを入力することが必要であることを特徴とする請求項１〜６のいずれか１項に記載の特定保健指導支援通信設備。